【手続補正書】
【提出日】平成17年11月2日(2005.11.2)
【手続補正１】
【補正対象書類名】明細書
【補正対象項目名】特許請求の範囲
【補正方法】変更
【補正の内容】
【特許請求の範囲】
【請求項１】  少なくとも成分ＡおよびＢを含んでなる、易揮発性イソシアネート官能性モノマー含有量の低いポリウレタンバインダーであって、
（ａ）成分Ａとして、少なくとも２つのイソシアネート基を有するポリウレタンプレポリマーまたは少なくとも２つのイソシアネート基を有する２種またはそれ以上のポリウレタンプレポリマーの混合物であって、少なくとも２つのイソシアネート基を有するポリウレタンプレポリマーまたはイソシアネート基を有する２種またはそれ以上のポリウレタンプレポリマーの混合物は、少なくとも１つのイソシアネート基は他方よりもイソシアネート反応性基に対する反応性が低い異なった結合様式の少なくとも２つのイソシアネート基を含むものを含有し、
（ｂ）成分Ｂとして、少なくとも２官能性のイソシアネートであって、分子量が成分Ａに含まれるポリウレタンプレポリマーの分子量よりも小さく、イソシアネート基は成分Ａに含まれる比較的低反応性のイソシアネート基よりもイソシアネート反応性基に対する反応性が高いイソシアネートを含有する
ことを特徴とするポリウレタンバインダー。
【請求項２】  ポリウレタンバインダー全量に対して少なくとも５重量％の成分Ｂが含まれる請求項１に記載のポリウレタンバインダー。
【請求項３】  イソシアネート基を有する易揮発性モノマーの含有量は、１重量％未満であり、トルエンジイソシアネートの含有量は０．１重量％未満である請求項１または２に記載のポリウレタンバインダー。
【請求項４】  少なくとも３官能性のイソシアネートが、更なる成分として含まれている請求項１〜３のいずれかに記載のポリウレタンバインダー。
【請求項５】  成分Ａは、
（ａ）第１段階で、少なくとも２官能性のイソシアネートおよび少なくとも第１ポリオール成分からポリウレタンプレポリマーを製造し、ＮＣＯ：ＯＨ比が２より小さく、遊離ＯＨ基がポリウレタンプレポリマー中に未だ存在しており、
（ｂ）第２段階で、別の少なくとも２官能性のイソシアネートを第１段階で得たポリウレタンプレポリマーと反応させる
ことからなり、第２段階で添加されたイソシアネートのイソシアネート基は、第１段階で得たポリウレタンプレポリマー中に存在するイソシアネート基の少なくとも主要量よりも高い、イソシアネート反応性化合物に対する反応性を有する、
少なくとも２段階の反応により製造される請求項１〜４のいずれかに記載のポリウレタンバインダー。
【請求項６】  別の少なくとも２官能性のイソシアネートは、成分Ａの遊離ＯＨ基に対してモル過剰加えられ、別の少なくとも２官能性のイソシアネートの未ＯＨ反応部分が成分Ｂを表す請求項５に記載のポリウレタンバインダー。
【請求項７】  成分Ａは、
（ｃ）第１段階で、少なくとも２官能性のイソシアネートおよび少なくとも第１ポリオール成分からポリウレタンプレポリマーを製造し、ＮＣＯ：ＯＨ比が２より小さく、遊離ＯＨ基がポリウレタンプレポリマー中に未だ存在しており、
（ｄ）第２段階で、別の少なくとも２官能性のイソシアネートおよび別のポリオール成分を第１段階で得たポリウレタンプレポリマーと反応させる
ことからなり、第２段階で添加されたイソシアネートのイソシアネート基は、第１段階で得たポリウレタンプレポリマー中に存在するイソシアネート基の少なくとも主要量よりも高い、イソシアネート反応性化合物に対する反応性を有する、
少なくとも２段階の反応により製造される請求項１〜４のいずれかに記載のポリウレタンバインダー。
【請求項８】  別の少なくとも２官能性のイソシアネートは、成分Ａおよび別のポリオール成分の遊離ＯＨ基に対してモル過剰加えられ、別の少なくとも２官能性のイソシアネートの未ＯＨ反応部分が成分Ｂを表す請求項７に記載のポリウレタンバインダー。
【請求項９】  第２段階におけるＯＨ：ＮＣＯ比は、０．１：１から１：１未満、特に０．２：１〜０．６：１である請求項５〜８のいずれかに記載のポリウレタンバインダー。
【請求項１０】  第１段階におけるＯＨ：ＮＣＯ比は、１：１未満、特に０．５：１〜０．７：１である請求項５〜９のいずれかに記載のポリウレタンバインダー。
【請求項１１】  イソシアネート基を有するポリウレタンバインダーを製造する少なくとも２段階の方法であって、
（ａ）第１段階で、少なくとも２官能性のイソシアネートおよび少なくとも１種のポリオール成分からポリウレタンプレポリマーを製造し、
（ｂ）第２段階で、別の少なくとも２官能性のイソシアネート、または別の少なくとも２官能性のイソシアネートおよび別のポリオール成分を、第１段階で得たポリウレタンプレポリマーと反応させる
ことからなり、第１段階の終了時に存在するイソシアネート基の少なくとも主要量は、第２段階で添加された少なくとも２官能性のイソシアネートのイソシアネート基よりも低い、イソシアネート反応性基、特にＯＨ基に対する反応性を有し、第２段階におけるＯＨ：ＮＣＯ比は約０．２〜０．６：１である方法。
【請求項１２】  第１段階におけるＯＨ：ＮＣＯ比は、１：１未満、特に０．４：１〜０．７：１である請求項１１に記載の方法。
【請求項１３】  第１段階での少なくとも２官能性のイソシアネートとして、イソホロンジイソシアネート（ＩＰＤＩ）、テトラメチルキシレンジイソシアネート（ＴＭＸＤＩ）、水素化ジフェニルメタンジイソシアネート（ＭＤＩH12）またはトルエンジイソシアネート（ＴＤＩ）を用いる請求項１１または１２に記載の方法。
【請求項１４】  第２段階における別の少なくとも２官能性のイソシアネートとしてジフェニルメタンジイソシアネート（ＭＤ）を用いる請求項１１〜１３のいずれかに記載の方法。
【請求項１５】  ３つの成分Ｃ、ＤおよびＥを混合することにより、易揮発性イソシアネート官能性モノマーを低い含有量で含むイソシアネート基を有する低粘度ポリウレタンバインダーの製造方法であって、
（ｃ）成分Ｃとして、ポリオール成分を少なくとも２官能性のイソシアネートと反応させることにより得られるイソシアネート官能性ポリウレタンプレポリマーを使用し、
（ｄ）成分Ｄとして、イソシアネート基が成分Ｃのイソシアネート基よりも高いイソシアネート反応性基に対する反応性を有する別の少なくとも２官能性のイソシアネートにポリオール成分を反応させることにより得られる別のイソシアネート官能性ポリウレタンプレポリマーを用い、
（ｇ）成分Ｅとして、分子量が成分ＣおよびＤのそれよりも小さく、イソシアネート基が成分Ｃのイソシアネート基よりも高いイソシアネート反応性基に対する反応性を有する、別の少なくとも２官能性のイソシアネートを用い、
成分Ｅの量は、成分Ｃ、ＤおよびＥの混合完了時および存在するならそれらの反応終了後に、成分Ｅの少なくとも５重量％、特に少なくとも１０重量％が、ポリウレタンバインダー中に存在するような量である
ことを特徴とする方法。
【請求項１６】  ポリウレタンバインダーは、（ブルックフィールドＲＴ  ＤＶII（Thermosell）により、スピンドル２７、２０rpm、５０℃で測定して）５０００ｍPas未満の粘度を有する請求項１１〜１５のいずれかに記載の方法。
【請求項１７】  少なくとも３官能性のイソシアネートを、第３段階で更なる成分として添加する請求項１１〜１６のいずれかに記載の方法。
【請求項１８】  接着剤、特に１成分型および２成分型接着剤、コーティング、特にラッカー、エマルジョン塗料、流延用樹脂並びに成形体としての、被覆のため、物品の結合、特にフィルムの結合のための、および積層フィルムの製造のための、請求項１〜１０のいずれかに記載のポリウレタンバインダーまたは請求項１１〜１７のいずれかに記載の製造方法により製造されたポリウレタンバインダーの使用。
【請求項１９】  ２つの成分ＦおよびＧを含んでなる接着剤であって、
（ｉ）成分Ｆとして、請求項１〜１０のいずれかに記載のポリウレタンバインダーまたは請求項１１〜１７のいずれかに記載の製造方法により製造されたポリウレタンバインダーが用いられ、
（ii）成分Ｇとして、成分Ｆのイソシアネート基に対して反応性の基を少なくとも２つ有し、分子量が２５００までである化合物、またはそのような化合物２種またはそれ以上が用いられる
接着剤。
【請求項２０】  成分Ｇとして、少なくとも２つのＯＨ基を含むポリオールを用いる請求項１９に記載の接着剤。
【請求項２１】  成分Ｇは、成分Ｆのイソシアネート基と反応性の官能基に対する成分Ｆのイソシアネート基の比が５：１〜１：１、特に２：１〜１：１であるような量で使用される請求項１９または２０に記載の接着剤。
【請求項２２】  ５００〜８０００cps（ブルックフィールドＲＶＴ  ＤII、スピンドル２７、４０℃）の粘度を有する請求項１９〜２１のいずれかに記載の接着剤。
【手続補正２】
【補正対象書類名】明細書
【補正対象項目名】００１５
【補正方法】変更
【補正の内容】
【００１５】
（その解決方法）
本発明は、
少なくとも成分ＡおよびＢを含んでなる、易揮発性イソシアネート官能性モノマー含有量の低いポリウレタンバインダーであって、
（ａ）成分Ａとして、少なくとも２つのイソシアネート基を有するポリウレタンプレポリマーまたは少なくとも２つのイソシアネート基を有する２種またはそれ以上のポリウレタンプレポリマーの混合物であって、少なくとも２つのイソシアネート基を有するポリウレタンプレポリマーまたはイソシアネート基を有する２種またはそれ以上のポリウレタンプレポリマーの混合物は、少なくとも１つのイソシアネート基は他方よりもイソシアネート反応性基に対する反応性が低い異なった結合様式の少なくとも２つのイソシアネート基を含むものを含有し、
（ｂ）成分Ｂとして、少なくとも２官能性のイソシアネートであって、分子量が成分Ａに含まれるポリウレタンプレポリマーの分子量よりも小さく、イソシアネート基は成分Ａに含まれる比較的低反応性のイソシアネート基よりもイソシアネート反応性基に対する反応性が高いイソシアネートを含有する
ことを特徴とするポリウレタンバインダー
を提供する。